(57)【要約】【課題】本発明は、シャッタ装置、ブレ補正装置及びゴミ付着防止装置を具備しつつもなお小型なデジタルカメラを提供する。【解決手段】本発明は、撮像レンズを着脱可能に保持するボディマウント部を有するレンズ交換式のデジタルカメラであって、撮像素子を保持し、該撮像素子を光軸に直交する平面上において移動させることによりブレを補正するブレ補正装置と、ボディマウント部と撮像素子との間に配設されたシャッタ幕と、シャッタ幕の側部においてシャッタ幕よりも後方に突出しかつ撮像素子の側方に配置されたシャッタ幕の駆動を制御するシャッタ制御部と、を有してなるシャッタ装置と光軸上であって、シャッタ幕と撮像素子との間に配置された、撮像素子の受光面を覆い少なくとも可視光を透過する光学部材を有してなるゴミ付着防止装置と、を具備した。【選択図】図３
2010041121.tif 000002
【特許請求の範囲】
【請求項１】
撮像レンズを着脱可能に保持するボディマウント部を有するレンズ交換式のデジタルカメラであって、
前記撮像レンズの光軸上に配置され前記撮像レンズからの被写体光束を受ける撮像素子を保持し、該撮像素子を前記光軸に直交する平面上において移動させることによりブレを補正するブレ補正装置と、
前記ボディマウント部と前記撮像素子との間に配設され前記撮像レンズからの光束を遮断もしくは通過させるシャッタ幕と、前記シャッタ幕の側部において前記シャッタ幕よりも後方に突出し、かつ前記撮像素子の側方に配置された前記シャッタ幕の駆動を制御するシャッタ制御部と、を有してなるシャッタ装置と、
前記光軸上であって、前記シャッタ幕と前記撮像素子との間に配置された、前記撮像素子の受光面を覆い少なくとも可視光を透過する光学部材を有してなるゴミ付着防止装置と、
を具備することを特徴とするデジタルカメラ。
【請求項２】
前記ブレ補正装置は、前記撮像素子を、前記光軸に直交する平面上において互いに直交する第１の方向及び第２の方向に移動させる第１のアクチュエータ及び第２のアクチュエータを具備してなり、
前記第１のアクチュエータ及び前記第２のアクチュエータは、前記撮像素子の側方に配設されることを特徴とする請求項１又は２に記載のデジタルカメラ。
【請求項３】
前記ゴミ付着防止装置は、前記光学部材を振動させる第３のアクチュエータを具備してなることを特徴とする請求項１に記載のデジタルカメラ。
【請求項４】
撮像素子の受光面は、前記第１の方向と平行な２辺と前記第２の方向と平行な２辺からなる矩形状を有し、
前記シャッタ制御部は、前記第２の方向に延在する細長形状を有し、
前記第２のアクチュエータは、前記第２の方向に延在する細長形状を有し、かつ前記撮像素子を挟んで前記シャッタ制御部に対向する位置に配設され、
前記第１のアクチュエータは、前記第１の方向に延在する細長形状を有し、
前記第３のアクチュエータは、前記第１の方向に延在する細長形状を有し、前記撮像素子の受光面の前記第１の方向と平行な２辺のうちの少なくとも前記第１のアクチュエータが配設されていない側の辺に沿って配設されていることを特徴とする請求項１から３のいずれか一項に記載のデジタルカメラ。
【発明の詳細な説明】
【技術分野】
【０００１】
本発明は、シャッタ装置、ブレ補正装置及びゴミ付着防止装置を備えたレンズ交換式のデジタルカメラに関する。
【背景技術】
【０００２】
デジタルカメラは、携帯性を向上させるために装置の小型化に対する要望が高いものであるが、一方でストロボ装置やブレ補正装置等の利便性を向上させる機能を付加する要望も高い。しかし、ストロボ装置やブレ補正装置は専用の機構が必要であることから、装置の小型化を実現するためにはレイアウトを工夫しなければならない。
【０００３】
例えば特開２００８−４０３８８号公報には、ストロボ装置とシャッタ装置を具備するカメラにおいて、シャッタ機構制御部の側方に沿うように、シャッタ駆動用のモータと縦長のストロボ用のコンデンサを配置する技術が開示されている。
【特許文献１】特開２００８−４０３８８号公報
【発明の開示】
【発明が解決しようとする課題】
【０００４】
ところで、近年、レンズ交換式のデジタルカメラでは、ブレ補正装置とともにローパスフィルタを覆う光学部材を設け、該光学部材を振動させて塵埃が画像に写り込むことを防止するゴミ付着防止装置が多く搭載されるようになっている。また、レンズ交換式のデジタルカメラでは、フォーカルプレーンシャッタが搭載されることが一般的である。
【０００５】
しかしながら、ブレ補正装置、ゴミ付着防止装置及びフォーカルプレーンシャッタは、デジタルカメラの厚さ方向に重ねて配置されることから、デジタルカメラの厚さを増す要因となってしまう。
【０００６】
本発明は、上記問題点に鑑みてなされたものであり、シャッタ装置、ブレ補正装置及びゴミ付着防止装置を具備しつつもなお小型なデジタルカメラを提供することを目的とする。
【課題を解決するための手段】
【０００７】
本発明のデジタルカメラは、撮像レンズを着脱可能に保持するボディマウント部を有するレンズ交換式のデジタルカメラであって、前記撮像レンズの光軸上に配置され前記撮像レンズからの被写体光束を受ける撮像素子を保持し、該撮像素子を前記光軸に直交する平面上において移動させることによりブレを補正するブレ補正装置と、前記ボディマウント部と前記撮像素子との間に配設され前記撮像レンズからの光束を遮断もしくは通過させるシャッタ幕と、前記シャッタ幕の側部において前記シャッタ幕よりも後方に突出し、かつ前記撮像素子の側方に配置された前記シャッタ幕の駆動を制御するシャッタ制御部と、を有してなるシャッタ装置と、前記光軸上であって、前記シャッタ幕と前記撮像素子との間に配置された、前記撮像素子の受光面を覆い少なくとも可視光を透過する光学部材を有してなるゴミ付着防止装置と、を具備することを特徴とする。
【発明を実施するための最良の形態】
【０００８】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【０００９】
以下、本発明の実施形態について図面を参照して説明する。
【００１０】
図１は、デジタルカメラの側面から見た縦断面図である。図２は、デジタルカメラの上から見た横断面図である。図３は、光軸上に配設される部材の詳細を説明するための分解図である。図４は、ブレ補正装置をＹＺ平面により切断した断面図である。図５は、ブレ補正装置をＸＺ平面により切断した断面図である。
【００１１】
まず、図１及び図２を用いて、本実施形態のデジタルカメラ１の概略的な構成を説明する。
【００１２】
本実施形態のデジタルカメラ１は、ＣＣＤ等からなる撮像素子１１を内部に具備して構成された光学式ファインダを具備しないレンズ交換式のデジタルカメラであり、略箱型形状の筐体２の内部に組み付けられる各種の組立体や電気回路等の構成部材と、この筐体２の表面上に配設され前記内部構成部材と電気的又は機械的に接続された各種の情報入出力部材等によって主に構成されている。
【００１３】
以下の説明において、撮像素子１１の受光面に直交する光軸Ｏに平行な軸をＺ軸とし、光軸Ｏに直交する平面上において互いに直交する２つの軸をＸ軸及びＹ軸とする。該Ｘ軸及びＹ軸のうち、デジタルカメラ１をいわゆる正立状態に構えた場合において、水平となる軸をＸ軸とする。該Ｘ軸は、撮像素子１１の所定のアスペクト比を有する矩形上の受光面の長辺と平行となる。
【００１４】
また、Ｚ軸に沿う方向について、デジタルカメラ１から被写体方向に向かう方向を前方、デジタルカメラ１から被写体とは反対方向に向かう方向を後方と称する。また、Ｘ軸に沿う方向（第１の方向）について、デジタルカメラ１を正立状態に構えた場合の操作者側から見て右側を右方向、左側を左方向と称する。また、Ｙ軸に沿う方向（第２の方向）について、デジタルカメラ１を正立状態に構えた場合の鉛直上側を上方向とし、鉛直下側を下方向と称する。
【００１５】
本実施形態のデジタルカメラ１は、ボディマウント部３、シャッタ装置４０、撮像素子１１、該撮像素子１１を移動可能に支持する防振機構とも称されるブレ補正装置１００、メイン制御基板１６、電源電池６、記録媒体８及び画像表示装置４を具備して主に構成されている。
【００１６】
ボディマウント部３は、筐体２の前面部に設けられた、中央に開口部を有した円環形状を有し、光軸Ｏと直交するリング状の平面を有する板状の部材であり、該開口部周囲に撮影レンズがバヨネット機構又はねじ機構等を介して着脱自在に固定される。ボディマウント部３は、筐体２内に固定されたフレーム部５０に図示しないねじにより固定されている。
【００１７】
光軸Ｏ上でありフレーム部５０の後方側には、いわゆるフォーカルプレーンシャッタであるシャッタ装置４０が配設されている。シャッタ装置４０は、光軸Ｏ上に進退可能に配設された複数のシャッタ羽根（不図示）を所定のタイミングで移動させることによって、光軸Ｏ上の後方に配設された撮像素子１１の露光時間を制御する装置である。該シャッタ装置４０は、図示しないねじによりフレーム部５０に固定されている。
【００１８】
シャッタ装置４０の後方には、撮像素子１１が配設されている。撮像素子１１は、受光面に入射される光に応じた電気信号を所定のタイミングで出力するものであり、例えば一般にＣＣＤ（電荷結合素子）やＣＭＯＳ（相補型金属酸化膜半導体）センサと称される形式、あるいはその他の各種の形式の撮像素子が適用され得る。
【００１９】
撮像素子１１の受光面の前面側にはローパスフィルタ１２及び後述するゴミ付着防止装置を構成する防塵フィルタ２０等の光学部材が配設されている。
【００２０】
撮像素子１１は、フレーム部５０に固定される後述するブレ補正装置１００を介して筐体２内部の所定の位置に配設されている。詳細は後述するが、ブレ補正装置１００は、撮像時のデジタルカメラ１の移動量に応じて撮像素子１１を受光面に平行な平面上における互いに直交する２方向であるＸ軸及びＹ軸に沿う方向に移動させることによって、撮像素子１１の受光面上における被写体像のブレを軽減するためのものである。
【００２１】
また、撮像素子１１は、該撮像素子１１の後方に配設され、撮像素子１１を駆動する電気回路が形成された回路基板１３に、フレキシブルプリント基板１４を介して電気的に接続されている。
【００２２】
回路基板１３は、該回路基板１３から右方に延出するフレキシブルプリント基板１５を介して、筐体２の右側に配設されたメイン制御基板１６に電気的に接続されている。メイン制御基板１６は、デジタルカメラ１の動作を制御するための回路が形成された基板であり、演算装置、主記憶装置及び入出力装置等を備えてなる。
【００２３】
該メイン制御基板１６の前方には、筐体２の外装面に設けられた蓋部材を介して外部に連通可能な収容室が形成されており、該収容室内には、記録媒体８及び電源電池６が収容される。
【００２４】
記録媒体８は、書き換え可能な不揮発性の半導体メモリや、小型のハードディスクドライブ等からなり、デジタルカメラ１により撮影された画像や撮影情報等を記憶する装置である。また、電源電池６は、一次電池又は二次電池であり、デジタルカメラ１を駆動する電力を供給する。
【００２５】
また、電源電池６が収容された収容室の前方側において、筐体２は前方に厚みが増すグリップ部２ａが形成されており、該グリップ部２ａの内部には、所定量の電荷を蓄積可能なストロボ用コンデンサ７が配設されている。
【００２６】
メイン制御基板１６の制御に基づいて、このストロボ用コンデンサ７を充電すると共に、該制御に基づいて、放電させることにより、筐体２の上部に配設されたデジタルカメラ１の上方にポップアップ可能なストロボ発光装置５を発光させることができる。
【００２７】
また、筐体２の背面部には、画像を表示し出力する画像表示装置４が配設されている。画像表示装置４は、液晶表示装置、有機エレクトロルミネッセンス表示装置又は電気泳動表示装置等を具備して構成されている。
【００２８】
画像表示装置４は、デジタルカメラ１の撮像動作時には、絞り値やシャッタースピード等の撮影条件や、いわゆる電子ビューファインダやライブビューと称される被写体のリアルタイムの動画像、及び直前の撮像結果等を表示する。また、デジタルカメラ１の再生動作時には、記録媒体８に記録されている静止画像や動画像を再生して表示する。
【００２９】
また、図示しないが、筐体２の外装面には、シャッタボタン等の操作者からの指示情報を入力するためのプッシュスイッチ、ダイヤルスイッチ及びタッチセンサ等からなる入力装置と、ランプ及びスピーカ等からなる出力装置とが配設されている。
【００３０】
また、デジタルカメラ１の筐体２には、外部機器との間で有線又は無線による上方の入出力を行う入出力装置と、所定の軸上におけるデジタルカメラ１の移動量を検出するジャイロセンサ等からなる変位検出部とが配設されている。
【００３１】
以上のような構成を有する本実施形態のデジタルカメラ１における、撮像素子１１を筐体２に対して移動可能に支持するブレ補正装置１００及び光軸Ｏ周りに配設された部材の構成及び配置の詳細な説明を以下に述べる。
【００３２】
図３に示すように、ブレ補正装置１００は、フレーム部５０に図示しないネジにより固定される基台部１０１と、該基台部１０１によってＸ軸に沿って移動可能に支持されたＸ軸移動枠部１５０と、該Ｘ軸移動枠部１５０によってＹ軸に沿って移動可能に支持された撮像素子保持枠部１０とを具備して構成されている。
【００３３】
基台部１０１は、３箇所の貫通孔１０２に挿通されフレーム部５０のネジ穴５３に螺合するネジにより、フレーム部５０の後方側に固定される。すなわち、基台部１０１は、デジタルカメラ１のボディマウント部３に対して固定されている。
【００３４】
基台部１０１をフレーム部５０に固定するための貫通孔１０２は、Ｚ軸に沿う方向から見て略矩形上の基台部１０１の４隅のうちの３箇所から前方に延出する腕状部１０３の先端部に形成されている。この腕状部１０３に囲まれた領域内に、Ｘ軸移動枠部１５０及び撮像素子保持枠部１０が配設される。
【００３５】
図４の断面図に示すように、基台部１０１の下方側には、互いに対向する断面Ｖ字形状のＸ軸に平行な溝部１１１ａ及び１１２ａが形成されたレール部１１１及び１１２を有し、該溝部１１１ａ及び１１２ａ間に複数の鋼球１１３を挟持してなる直動案内機構であるＸガイドレール部１１０が配設されている。
【００３６】
Ｘガイドレール部１１０のレール部１１１及び１１２のうちの、後方側のレール部１１１は、基台部１０１に固定されており、前方側のレール部１１２は、Ｘ軸移動枠部１５０に固定されている。また、図示しないが、基台部１０１の上方側において、Ｘ軸移動枠部１５０はボール支持されている。
【００３７】
これにより、Ｘ軸移動枠部１５０は、基台部１０１上においてＸ軸に平行な方向にのみ移動可能に支持されている。
【００３８】
また、Ｘガイドレール部１１０の前方側には、Ｘ軸駆動装置１２０（第１のアクチュエータ）がＸ軸に沿う方向に延在するように配設されている。本実施形態ではＸ軸駆動装置１２０は、基台部１０１側に固定された超音波振動子１２１と、超音波振動子１２１に所定の圧力で接し、かつＸ軸移動枠部１５０に固定されたスライダ１２２とを具備してなり、超音波振動子１２１の振動によりスライダ１２２をＸ軸に沿う方向に駆動するいわゆる超音波モータである。
【００３９】
図５の断面図に示すように、Ｘ軸移動枠部１５０の右側には、互いに対向する断面Ｖ字形状のＹ軸に平行な溝部１３１ａ及び１３２ａが形成されたレール部１３１及び１３２を有し、該溝部１３１ａ及び１３２ａ間に複数の鋼球１３３を挟持してなる直動案内機構であるＹガイドレール部１３０が配設されている。
【００４０】
Ｙガイドレール部１３０のレール部１３１及び１３２のうちの、後方側のレール部１３１は、撮像素子保持枠部１０に固定されており、前方側のレール部１３２は、Ｘ軸移動枠部１５０に固定されている。また、図示しないが、Ｘ軸移動枠部１５０の左側において、撮像素子保持枠部１０はボール支持されている。
【００４１】
これにより、撮像素子保持枠部１０は、Ｘ軸移動枠部１５０上においてＹ軸に平行な方向にのみ移動可能に支持されている。
【００４２】
また、Ｙガイドレール部１３０の後方側には、Ｙ軸駆動装置１４０（第２のアクチュエータ）がＹ軸に沿う方向に延在するように配設されている。本実施形態ではＹ軸駆動装置１４０は、Ｘ軸移動枠部１５０側に固定された超音波振動子１４１と、超音波振動子１４１に所定の圧力で接し、かつ撮像素子保持枠部１０に固定されたスライダ１４２とを具備してなり、超音波振動子１４１の振動によりスライダ１４２をＹ軸に沿う方向に駆動するいわゆる超音波モータである。
【００４３】
なお、Ｘ軸駆動装置１２０及びＹ軸駆動装置１４０は、ボイスコイルモータ等の他の形式のモータであってもよい。
【００４４】
撮像素子保持枠部１０には、前述した撮像素子１１、ローパスフィルタ１２及び後述するゴミ付着防止装置を構成する防塵フィルタ２０等の光学素子、及び回路基板１３が固定されている。
【００４５】
また、ブレ補正装置１００には、図示しないが、撮像素子保持枠部１０に固定された磁石と、基台部１０１の該磁石に対向する位置に固定されたホール素子とからなり、該ホール素子により検出される磁力の変化量に基づいて、基台部１０１に対する撮像素子保持枠部１０のＸ軸及びＹ軸の移動量を算出する位置検出手段が設けられている。
【００４６】
次に、撮像素子１１の前方に配設されたゴミ付着防止装置の構成について説明する。ゴミ付着防止装置は、ローパスフィルタ１２の前面を覆い、少なくとも可視光域において所定の値以上の透過率を有する材料からなる矩形状平板の防塵フィルタ２０と、該防塵フィルタ２０の上辺部及び下辺部に接触して固定されたＸ軸に沿う方向に延在する圧電セラミックからなる振動子２１及び２２（第３のアクチュエータ）とを具備してなる。
【００４７】
ゴミ付着防止装置は、振動子２１及び２２を駆動し、防塵フィルタ２０を振動させることで防塵フィルタ２０の表面に付着した塵埃を除去することができる。防塵フィルタ２０は、振動子２１及び２２が貼着された状態で枠部材２３により撮像素子保持枠部１０に固定される。
【００４８】
なお、防塵フィルタ２０を振動させるアクチュエータは、圧電セラミック等の電歪素子に限られるものではなく、いわゆるＭＥＭＳによる超音波振動子であってもよい。
【００４９】
次に、シャッタ装置４０の構成について説明する。
【００５０】
縦走りシャッタ幕を有するシャッタ幕部４３と、該シャッタ幕部４３を制御するシャッタ制御部４１と、シャッタ幕を駆動するバネにチャージを行うシャッタチャージモータ４２とを具備して構成されている。
【００５１】
シャッタ制御部４１及びシャッタチャージモータ４２は、図３に示すように、Ｙ軸に沿う方向を長手方向としてデジタルカメラ１の上下方向に延在する外形を有し、かつ、シャッタ制御部４１及びシャッタチャージモータ４２は、シャッタ幕部４３に対して、デジタルカメラ１の後方側に突出ように配設されている。
【００５２】
以上に説明した本実施形態のデジタルカメラ１では、シャッタ装置４０から後方に突出するシャッタ制御部４１及びシャッタチャージモータ４２は、撮像素子１１の左方側に配設されている。
【００５３】
また、撮像素子１１の下方側には、ブレ補正装置１００のＸ軸駆動装置１２０が長手方向が撮像素子１１の受光面の長辺に略平行となるように配設されている。そして撮像素子１１の右方側に、Ｙ軸駆動装置１４０の長手方向が撮像素子１１の受光面の短辺に略平行となるように配設されている。
【００５４】
また、撮像素子１１の左方側には、シャッタ装置４０のシャッタ制御部４１及びシャッタチャージモータ４２が配設されている。また、防塵フィルタ２０を振動させる振動子２１及び２２は、デジタルカメラ１の正面から見て撮像素子１１の上方側及び下方側において、長手方向が撮像素子１１の受光面の長辺と略平行となるように配設されている。
【００５５】
以上のような構成を有する本実施形態のデジタルカメラ１によれば、デジタルカメラ１を構成する部材の中で比較的厚みを有するシャッタ装置４０のシャッタ制御部４１及びシャッタチャージモータ４２を、シャッタ幕部４３よりも後方に突出させ、かつゴミ付着防止装置及びブレ補正装置１００の側方に配設することで、筐体２の前後方向の厚さを薄くすることが可能となる。
【００５６】
また、本実施形態では、それぞれ細長の形状を有するシャッタ制御部４１、Ｘ軸駆動装置１２０及びＹ軸駆動装置１４０を、撮像素子１１側方において撮像素子１１の異なる３辺に沿うように配設している。これにより、シャッタ制御部４１は、撮像素子１１を挟んでＹ軸駆動装置１４０に対向する位置に配設されている。
【００５７】
このように、比較的厚さを有し、かつ細長の形状を有する複数の部材を、それぞれ撮像素子１１の異なる辺に沿うように配設することで、これらの部材が厚さ方向に重なることを防止し、筐体２の前後方向の厚さを薄くすることができる。
【００５８】
特に、ミラーボックス、すなわちクイックリターンミラーを用いる光学式ファインダを具備せずにフランジバックを短く設定したデジタルカメラにおいては、本発明を適用することで顕著に筐体の厚さを薄くすることが可能となる。
【００５９】
上述した実施形態に基づいて、以下の構成を提案することができる。すなわち、本願発明は以下の構成で表現できる。  
（付記１）  
交換レンズ着脱可能なカメラにおいて、  
上記交換レンズ光軸上に配置され上記交換レンズからの被写体光束を受ける撮像素子を含み、ブレ除去のため該撮像素子を移動駆動するための撮像素子移動駆動装置と、  
上記交換レンズを着脱するためのボディマウントと、  
上記ボディマウントのマウント面から上記撮像素子側に配置され上記交換レンズからの光束を遮断もしくは通過させるシャッタ幕と、該幕を光軸と交差する方向に駆動するシャッタ駆動制御部とを有し、該駆動制御部が光軸側方の、かつ該幕より撮像素子側に配置されたシャッタ装置と、  
上記撮像素子の撮像面を覆う光透過部材を有し、上記シャッタ幕と上記撮像素子との間の光軸上に配置され、かつ上記シャッタ駆動制御部の側方に、かつ上記シャッタ幕に隣接して配置された防塵装置と、  
を具備したことを特徴とした交換レンズ着脱可能なカメラ。
【００６０】
（付記２）  
上記撮像素子の周囲には、水平方向に上記撮像素子を水平方向に上記移動駆動するための第１のアクチュエータが配置され、垂直方向には上記撮像素子を垂直方向に上記移動駆動するための第２のアクチュエータが配置されたことを特徴とした付記２記載の交換レンズ着脱可能なカメラ。
【００６１】
（付記３）  
上記防塵装置には上記光透過部材を振動させるための電歪素子が設けられている  ことを特徴とした付記２記載の交換レンズ着脱可能なカメラ。
【００６２】
（付記４）  
撮影光学系と、  
撮影光学系による像を矩形状の撮像エリヤ（受光面）にて撮像可能な撮像装置と、  
撮像装置への露光を制御する、フォーカルプレーンシャッタと、  
カメラの動きを検出する検出機構と、  
検出結果を基に、撮像中のぶれを補正する防振機構と、  
上記防振機構を駆動する、第１、第２のアクチュエータと、  
撮影光路中に配置された振動可能な光学部材と、  
上記光学部材を駆動する、第３のアクチュエータとを具備する構成において、  
撮像エリヤの一方の短辺に略平行に、フォーカルプレーンシャッタの制御部を配置すると共に、  
第１、第２のアクチュエータの一方を、フォーカルプレーンシャッタの制御部と対向する短辺方向に配置し、  
他方を撮像エリヤの長辺に略平行に配置し、  
かつ第３のアクチュエータを撮像エリヤの長辺に略平行に配置したことを特徴とするカメラ。
【００６３】
（付記５）  
フォーカルプレーンシャッタの制御部および、第１、第２、第３のアクチュエータは、撮影光学系からの距離がほぼ等価な位置に配置されていることを特徴とする、付記４項記載のカメラ。
【００６４】
（付記６）  
第１、第２のアクチュエータは、撮像素子を撮像エリヤの短辺方向、長辺方向にそれぞれ駆動制御可能なことを特徴とする、付記４項記載のカメラ。
【００６５】
（付記７）  
撮影光路中に配置された振動可能な光学部材は、撮影光学系の光軸方向に振動することで光学部材への付着物を除去する能力を有することを特徴とする、付記４記載のカメラ。
【００６６】
（付記８）  
第１、第２、第３のアクチュエータは、圧電セラミックであることを特徴とする、付記４項記載のカメラ。
【００６７】
（付記９）  
撮影光学系と、  
撮影光学系による像を矩形状の撮像エリヤにて撮像可能な撮像装置と、  
撮像装置への露光を制御する、フォーカルプレーンシャッタと、  
カメラの動きを検出する検出機構と、  
検出結果を基に、撮像中のぶれを補正する防振機構と、  
上記防振機構を２方向に駆動する１対のアクチュエータと、  
撮影光路中に配置された振動可能な光学部材と、  
上記光学部材を駆動する、第３のアクチュエータとを具備する構成において、  
フォーカルプレーンシャッタの制御部を、第１のアクチュエータのいずれかの長手方向と略平行に配置するとともに、  
第２のアクチュエータの長手方向と、他方の第１のアクチュエータの長手方向とを略平行に配置したことを特徴とするカメラ。
【００６８】
（付記１０）  
防振機構の移動方向は、カメラの上下方向、左右方向の２方向であることを特徴とする付記９項記載のカメラ。
【００６９】
（付記１１）  
撮像装置と、振動可能な光学部材の間は、密閉保持されていることを特徴とする、付記９項記載のカメラ。
【００７０】
（付記１２）  
カメラの動きを検出する検出機構と、  
検出結果を基に、撮像中のぶれを補正する防振機構と、  
上記防振機構により２方向に駆動される撮像装置と、  
撮像装置への露光を制御する、フオーカルプレーンシャツターと、  
撮影光路中に配置された振動可能な光学部材と、  
上記光学部材を駆動するアクチュエータとを具備する構成において、  
フオーカルプレーンシャツターの制御部の長手方向を、撮像装置の一方の移動方向と略平行に配置し、  
上記光学部材を駆動するアクチュ土一夕を、撮像装置の他方の移動方向と略平行に配置したことを特徴とするカメラ。
【００７１】
なお、本発明は、上述した実施形態に限られるものではなく、特許請求の範囲及び明細書全体から読み取れる発明の要旨或いは思想に反しない範囲で適宜変更可能であり、そのような変更を伴うデジタルカメラもまた本発明の技術的範囲に含まれるものである。
【図面の簡単な説明】
【００７２】
【図１】デジタルカメラの側面から見た縦断面図である。
【図２】デジタルカメラの上から見た横断面図である。
【図３】光軸上に配設される部材の詳細を説明するための分解図である。
【図４】ブレ補正装置をＹＺ平面により切断した断面図である。
【図５】ブレ補正装置をＸＺ平面により切断した断面図である。
【符号の説明】
【００７３】
１    カメラ、
２    筐体、
３    ボディマウント部、
４    画像表示装置、
５    ストロボ発光装置、
６    電源電池、
７    ストロボ用コンデンサ、
８    記録媒体、
１０    撮像素子保持枠部、
１１    撮像素子、
１２    ローパスフィルタ、
１３    回路基板、
１４    フレキシブルプリント基板、
１５    フレキシブルプリント基板、
１６    メイン制御基板、
２０    防塵フィルタ、
２１    振動子、
２２    振動子、
２３    枠部材、
４０    シャッタ装置、
４１    シャッタ制御部、
４２    シャッタチャージモータ、
４３    シャッタ幕部、
５０    フレーム部、
５３    ネジ穴、
１００    ブレ補正装置、
１０１    基台部、
１０２    貫通孔、
１０３    腕状部、
１１０    Ｘガイドレール部、
１１１    レール部、
１１１ａ    溝部、
１１２    レール部、
１１２ａ    溝部、
１２０    Ｘ軸駆動装置、
１２１    超音波振動子、
１２２    スライダ、
１３０    Ｙガイドレール部、
１３１    レール部、
１３１ａ    溝部、
１３２    レール部、
１３２ａ    溝部、
１４０    Ｙ軸駆動装置、
１４１    超音波振動子、
１４２    スライダ、
１５０    Ｘ軸移動枠部。
【図１】
2010041121.tif 000003
【図２】
2010041121.tif 000004
【図３】
2010041121.tif 000005
【図４】
2010041121.tif 000006
【図５】
2010041121.tif 000007